(57)【要約】【課題】綴込み体の押え板に抜き差し係脱自在に常時装着させた状態で、綴じ孔が明けられていない書類を挟み込み挟持させることができるクリップを提供する【解決手段】綴込み表紙ｂの一方の表紙部ｂ−２の内側に、綴じ孔が明けられた書類Ｃ−１を綴じ込む綴込み体４が備えられているファイルＢにおいて、前記綴込み体４の押え板４−２に抜き差し係脱可能で且つ前後不動に装着された状態で綴じ孔が明けられていない書類Ｃを差し込み挟持させるクリップであって、クリップ本体Ａは、折曲背部１を境にして折曲両端から上下挟持板２，３を連続的且つ略平行に延設対面させた側面視略コの字形に形成され、左右横幅Ｌ１が少なくとも前記押え板４−１の一対の綴じ具５の間に収まるように形成されている。また、下部挟持板３の解放端側部位には上部挟持板２とにより書類Ｃを押圧挟持する挟持部７が形成されている。【選択図】  図３
2004291249.tif 000002
【特許請求の範囲】
【請求項１】
綴込み表紙が、２枚の表紙部と、この両表紙部の後端を折曲自在に連設する背部とで形成され、一方の表紙部側には綴じ孔が明けられた書類を綴じ込むための綴込み体が備えられており、
前記綴込み体は、表紙部の内側に固定的に配されて前記綴じ孔に挿通される一対の綴じバンドと、この両綴じバンドを挿通させる２ヶ所の通孔と同綴じバンドを抜止不能に折り曲げ係止する一対の綴じ具を有して書類の上に載置される略帯状の押え板とで構成されてなるファイルにおいて、
前記押え板に、その幅方向から抜き差し係脱可能に装着された状態で書類が差し込み挟持されるクリップであって、
クリップ本体は、所望な幅を有する折曲背部から略平行に対面させるように上下挟持板を備えた側面視略コの字形に形成されると共に、左右横幅が少なくとも前記押え板の綴じ具の間に収まるように形成されてなり、
更に、前記下部挟持板の解放端側部位には上部挟持板に向けて接触するように屈曲せしめた挟持部を備えて、上部挟持板とにより書類が押圧挟持するように形成されていることを特徴とするファイル用クリップ。
【請求項２】
請求項１記載の挟持部から折曲背部に至る寸法を押え板の幅寸法と略同寸に設定、又は、前記幅寸法にて挟持部から折曲背部に至る途中部位に保持片を備えることにより、クリップ本体が押え板に対して前後不動に装着されるように形成されていることを特徴とするファイル用クリップ。
【請求項３】
請求項１又は２記載のクリップ本体が押え板に前後不動に装着された状態において、
上下挟持板間に差し込まれる書類の一辺側縁が、綴込み体により綴じ込まれる書類の一辺側縁と上下略面一に沿うように、挟持部から折曲背部に至る寸法が設定されていることを特徴とするファイル用クリップ。
【請求項４】
請求項１乃至３何れか１項に記載のクリップ本体の折曲背部側に、上部挟持板とにより書類を押圧挟持する第２の挟持部を備えて、上下挟持板間に差し込まれる書類を前後２ヵ所にて押圧挟持するように形成されていることを特徴とするファイル用クリップ。
【発明の詳細な説明】
【０００１】
【発明の属する技術分野】
本発明は、綴込み表紙の内側に備えられている綴込み体により、書類の一辺に所定の間隔にて明けられる２ヶ所の綴じ孔を利用して、該書類を、綴込み表紙体の両表紙部間にファイリングするファイル、所謂フラット式ファイルに使用されるクリップに係り、詳しくは書類に綴じ孔を明けずに、該書類の一辺を挟持せしめた状態で両表紙部間にファイリングすることを可能とするクリップに関する。
【０００２】
【従来の技術】
従来から、フラット式ファイルにおいて、書類にパンチ等により綴じ孔を明けずに、該書類の一辺を挟み込んだ状態でファイリングすることを可能にしたクリップは知られている。
例えば、弾性線材を用いた長楕円形の渦巻状クリップ（商品名：ゼムクリップ）において、該クリップの長手方向一端側に、弾性線材の端部を利用して綴じ孔程度の大きさを有する渦巻き部を設け、この渦巻き部にフラット式ファイルの表紙部と襠部との内側コーナーに設けられている綴じピンを挿通させてクリップを前記綴じピンに保持させることで、綴じ孔を明けずに書類を両表紙部間にファイリングし得るようにしたものがある（特許文献１参照）。
【０００３】
また、弾性板材を用いて断面略コの字形に折り曲げ加工されてなるクリップ（商品名：ガチャ玉、ダブルクリップ）の上下挟持板を連続的に連設する後端連設部に、綴じ孔程度の大きさを有するリング部を設け、このリング部に前述のように、綴じピンを挿通させてクリップを前記綴じピンに保持させることで、綴じ孔を明けずに書類を両表紙部間にファイリングし得るようにしたものがある（特許文献２参照）。
【０００４】
【特許文献１】
実開昭６０−１５００７１号公報
【０００５】
【特許文献２】
実開平５−６０８７９号公報
【０００６】
【発明が解決しようとする課題】
しかし乍ら、上記した特許文献１は、書類の綴込み一辺側に、一対の綴じピンの間隔をおいてクリップを取り付けた後に、該クリップ一端の渦巻き部に綴じピンを挿通させて、該綴じピンにクリップを個々に保持させることで、綴じ孔を明けることなく書類をクリップに挟み込み挟持させた状態でファイリングし得るように構成されているものであることから、特に書類を追加挟み込む際等には面倒で煩わしい等の取扱い性に難点を有する。
即ち、書類を追加挟み込む際等にはその度に、ファイリングされている書類を持ち上げることにより、クリップを綴じピンから一旦取り外さなければならない。そして、追加書類が重ねられた書類の綴込み一辺側２ヶ所にクリップに個々に差し込み取り付けた後に、該クリップを再び綴じピンに保持させなければならないことから、書類の挟み込み挟持が面倒で手間が掛かり、取扱い性が非常に悪いものとなっている。
【０００７】
また、特許文献２においても、前述した特許文献１と同様に、書類を追加挟み込む場合には書類を押える押え板を綴じピンから取り外し、ファイリングされている書類を持ち上げることにより、綴じピンに挿入保持されているクリップを同ピンから取り外し、その後に、クリップを書類から一旦取り外して、該クリップを追加書類が重ねられた書類の綴込み一辺側２ヶ所に再び差し込み取り付けなければならず、面倒で手間が掛かる。
また、この特許文献２においてはクリップがガチャ玉（商品名）からなる場合には専用の工具（商品名：ガチャック）を使用しなければ、書類の綴込み一辺側に取り付けることができないことから、取扱い性が更に悪いもとなっていた。
従って、この様な従来のクリップは未だに実施化されていないのが現状で、改善が望まれていた。
【０００８】
本発明はこの様な従来事情に鑑みてなされたもので、その目的とする処は、綴込み表紙の表紙部一方の内側部位に、綴じ孔が明けられている書類を綴じ込む綴込み体が備えられてなるファイルにおいて、綴込み体の押え板に抜き差し係脱自在に常時装着させた状態で、綴じ孔が明けられていない書類を挟み込み挟持させることができるクリップを提供することにある。
【０００９】
【課題を達成するための手段】
課題を達成するために本発明が講じる技術的手段として、請求項１は、綴込み表紙が、２枚の表紙部と、この両表紙部の後端を折曲自在に連設する背部とで形成され、一方の表紙部の内側には綴じ孔が２ヶ所に明けられた書類を綴じ込むための綴込み体が備えられており、
前記綴込み体は、表紙部の内側に固定的に配されて前記綴じ孔に挿通される一対の綴じバンドと、この両綴じバンドを挿通させる２ヶ所の通孔と同綴じバンドを抜止不能に折り曲げ係止する左右一対の綴じ具を有して書類の上に載置される略帯状の押え板とで構成されてなるファイルにおいて、
前記押え板に、幅方向から抜き差し係脱可能に装着された状態で書類を差し込み挟持させるクリップであって、
クリップ本体は、所望な幅を有する折曲背部と、この折曲背部を境にして折曲両端から連続的且つ略平行に延設対面させる上下挟持板とから側面視略コの字形に形成されると共に、左右横幅が少なくとも前記押え板の左右綴じ具の間に収まるように形成されてなり、
更に、前記下部挟持板の解放端側部位には上部挟持板に向けて接触するように屈曲せしめた挟持部を備えて、上部挟持板とにより書類を押圧挟持するように形成されているファイル用クリップである。
そして、上記クリップ本体の上下挟持板の対面間隔（折曲背部の幅）が、押え板の裏面から綴じ具の上面に至る高さ寸法よりも小さく設定されていることが好適なものである。
また、クリップ本体の左右横幅は、綴じバンドを折り曲げ係止する一対の綴じ具を互いに接近する方向に移動させて、綴じバンドの係止状態を解除するその接近間隔寸法であることが好適なものである。
【００１０】
上記の構成によれば、書類が既にファイリングされているファイルにおいては、一対の綴じバンドを抜止不能に係止する一対の綴じ具を周知の如く互いに接近する方向に移動させて綴じバンドの係止状態を解除し、押え板を書類から浮かして綴じ具間に幅方向からクリップ本体を差し込むことにより、クリップ本体は綴じ具により押え板の長さ方向への移動が規制された状態で押え板に装着される。
これにより、綴じ孔が明けられた書類を綴込み体に綴じ込み追加する等場合において、クリップ本体を押え板に装着した状態で、該押え板の綴じ具を接近方向に移動させて一対の綴じバンドから押え板を外したり、追加する書類に明けられた綴じ孔と押え板の通孔に綴じバンドを挿通させて綴じ具により綴じ込むファイル本来のファイリングが可能になる。
そして、会議等で配布される綴じ孔が明けられていない書類は、押え板に装着されているクリップ本体の上下挟持板間に差し込むことにより、下部挟持板側に備えた挟持部と上部挟持板との間で押圧挟持される。
【００１１】
また、上記下部挟持板側に備えた挟持部から折曲背部に至る寸法を押え板の幅寸法と略同寸に設定することにより、クリップ本体が押え板に対して前後不動に装着されるように形成されてなるファイル用クリップであり、或いは前記押え板の幅寸法にて挟持部から折曲背部に至る下部挟持板の途中部位に、押え板の厚さに相当する高さの保持片を切起こし備えることにより、クリップ本体が押え板に対して前後不動に装着されるように形成されてなるファイル用クリップである（請求項２）。
【００１２】
上記の構成によれば、押え板にクリップ本体が差し込み装着されると、クリップ本体は挟持部と折曲背部とによって押え板に前後不動（換言すれば、押え板の幅方向に不動）に保持される。或いは挟持部と保持片とによって押え板に前後不動に保持される。これにより、会議等において配布される書類を上下挟持板間に差し込む際に、クリップ本体が押え板の幅方向に移動することがないことで、書類をスムーズに上下挟持板間に差し込むことが可能になる。
【００１３】
また、上記クリップ本体が綴込み体の押え板に前後不動に装着された状態において、上下挟持板間に差し込まれる書類の一辺縁が、綴込み体により綴じ込まれる書類の一辺縁と上下略面一に沿うように、挟持部から折曲背部に至る寸法が設定されているファイル用クリップである（請求項３）。
ここで、クリップ本体に挟持される書類の一辺縁を、綴込み体に綴じ込まれる書類の一辺縁に対して上下略面一に沿わせるための構造としては、折曲背部の上半部側を後方に向けて側面視略コの字形に膨出させることで、当該折曲背部の上半部側に溝状の書類縁挿入部を備え、この挿入部に上下挟持板間に差し込まれる書類の一辺縁を挿入させることにより、該一辺縁が綴込み体に綴じ込まれてファイリングされる書類の一辺縁に上下略面一に合うようにする。
また、他の構造としては挟持部とによりクリップ本体を押え板に前後不動に保持するように下部挟持板に切起こし備える保持片から折曲背部に至る寸法を、上下挟持板間に差し込まれる書類の一辺縁が、綴込み体に綴じ込まれてファイリングされる書類の一辺縁に上下略面一に合うようにする等が挙げられる。
【００１４】
更に、上記クリップ本体の折曲背部側に、上部挟持板とにより書類を押圧挟持する第２の挟持部を備えることにより、前後２ヵ所にて書類が押圧挟持されるように形成されているファイル用クリップにある（請求項４）。
【００１５】
上記の構成によれば、クリップ本体の上下挟持板間に差し込まれる書類の一辺縁は差込口側の挟持部と第２の挟持部との前後２ヶ所で押圧挟持されることで、書類は上下挟持板間から不用意に抜け外れることがない前後２点支持構造で確実に挟持される。
【００１６】
【発明の実施の形態】
本発明の実施の具体例を図面に基づいて説明する。
図１乃至図５は、本発明ファイル用クリップの第１実施例を示し、クリップ本体Ａは、折曲背部１と、この折曲背部１を境にして折曲両端から連続的且つ略平行に延設対面させる上下挟持板２，３とから側面視が略コの字形に形成されて、ファイルＢの内側に備えられている綴込み体４の押え板４−２の左右綴じ具５の間に、該押え板４−２の幅方向から抜き差し係脱可能で且つ幅方向前後不動に装着された状態で書類Ｃが差し込み挟持されるように形成されている。
【００１７】
ファイルＢは、紙材や樹脂材等の素材からなる綴込み表紙ｂが、２枚の表紙部ｂ−１，ｂ−２と、この両表紙部ｂ−１，ｂ−２の後端を折曲自在に連設する背部ｂ−３とで一体に形成されて、２ヶ所に綴じ孔が明けられた書類Ｃ−１を、綴込み表紙ｂの両表紙部ｂ−１，ｂ−２間にファイリングし得るように構成されてなる周知のフラット式ファイルであり、一方の表紙部ｂ−２の内側には前記綴じ孔が明けられた書類Ｃ−１を綴じ込むための綴込み体４が具備されてなる。
【００１８】
綴込み体４は、背部ｂ−３に沿わせた表紙部ｂ−２の内側に固定的に配されて書類Ｃ−１の綴じ孔に挿通される一対の綴じバンド４−１と、この両綴じバンド４−１を挿通させる２ヶ所に開口させた通孔６と同綴じバンドｂ−１を締め付けると共に抜止不能に折り曲げ係止する一対の綴じ具５を有して書類Ｃ−１の上に載置される金属材や樹脂材等からなる略帯状の押え板４−２とで構成されて、綴じ孔が明けられた書類Ｃ−１を綴じ込む周知の構造である。
【００１９】
クリップ本体Ａは、バネ性に優れた金属材料や合成樹脂材料等の所望な板厚を有する平板部材を用いて一体に形成される。
本例では、金属材料からなる平板部材の中心辺から折り曲げて所望の幅（高さ）Ｌを有する折曲背部１を形成すると共に、その折曲両端から連続的且つ略平行に延設対面させた上下挟持板２，３を設けてなるものであり、左右横幅Ｌ１は少なくとも押え板４の綴じ具４−２の間に収まるように形成されている。
詳しく述べると、図４に示すように、綴じバンド４−１を折り曲げ係止する一対の綴じ具５を、互いに接近する方向に移動させて、綴じバンド４−１の係止状態を解除し、該綴じバンド４−１から押え板４−２を取り外すことができる綴じ具５の接近間隔内に収まるように前記左右横幅Ｌ１が設定されてなる（図５参照）。
これにより、クリップ本体Ａを押え板４−２に装着させた状態で、該押え板４−２の綴じ具５を接近方向に移動させて一対の綴じバンド４−１から押え板４−２を外し、書類Ｃ−１に明けられた綴じ孔と押え板４−２の通孔６に綴じバンド４−１を挿通させると共に、該バンド４−１を締め付けて綴じ具５により抜止不能に係止保持する書類Ｃ−１の綴込みファイリングは従来と変わらぬ操作で行なうことができる。
【００２０】
また、クリップ本体Ａの下部挟持板３の解放端側部位に上部挟持板２に向けて接触するように屈曲せしめた挟持部７を備えることにより、上部挟持板２とにより書類Ｃを押圧挟持し得るようにしてある。
【００２１】
挟持部７は、下部挟持板３の一部を上部挟持板２に向けて折り曲げ立ち上げると共に、上部挟持板２に接触する部位にて下部挟持板３の開放前端を斜め下方（斜め前方）へ折り曲げることで、下部挟持板３の一部にその幅方向（左右横幅Ｌ１）全長に亘り側面視略山形状に形成されるものである。
また、挟持部７の折り曲げ立上げ基部から折曲背部１に至る寸法Ｌ２を、押え板４−２の幅寸法Ｌ３と略同寸とすることで、挟持部７は、書類Ｃを上部挟持板２とによって挟持する挟持機能のみならず、クリップ本体Ａが押え板４−２に差し込み装着された時に折曲背部１とによってクリップ本体Ａを押え板４−２に前後不動（換言すれば、押え板４−２の幅方向に不動）に保持する保持機能をも兼ねるように形成してある（図２参照）。
【００２２】
そして、挟持部７が接触する上部挟持板２の開放前端側を斜め上方へ折り曲げることで、斜め下方に向けて折り曲げられた下部挟持板３の開放前端側との間で前方拡開状に開く差込口８を設けることにより、クリップ本体Ａの押え板４−２への差し込み装着、そして、上下挟持板２，３間への書類Ｃの差し込み挿入がスムーズに行なわれるようにしてある。
【００２３】
次に、以上の如く構成された第１実施例詳述のクリップ本体Ａの使用例について説明すると、例えば図３に示したように、書類Ｃ−１が既にファイリングされているファイルＢに場合においては、一対の綴じバンド４−１を抜止不能に係止する一対の綴じ具５を周知の如く互いに接近する方向に移動させて綴じバンド４−１の係止状態を解除し、押え板４−１を図４に示すように浮かした状態で、或いは図５に示すように綴じバンド４−１から取り外した状態で、押え板４−２の綴じ具５間にクリップ本体Ａを差し込む。
これにより、クリップ本体Ａは、押え板４−２に装着されると共に一対の綴じ具５によって押え板４−２の長さ方向への移動が規制された脱落不能な状態で、且つ、挟持部７と折曲背部１とによって押え板４−２に前後不動に装着される（図４及び図５参照）。
【００２４】
而して、第１実施例詳述のクリップによれば、書類Ｃ−１を綴込み体４に綴じ込み追加する等場合、クリップ本体Ａを押え板４−２に装着した状態で、該押え板４−２の綴じ具５を接近方向に移動させて一対の綴じバンド４−１から押え板４−２を外し（図５の状態）、追加綴じ込む書類Ｃ−１の綴じ孔と押え板４−２の通孔６に綴じバンド４−１を挿通させた後に、該綴じバンド４−１を綴じ具５により締め付けて書類Ｃ−１を綴じ込むファイリングが可能である。
つまり、綴じ孔が明けられた書類Ｃ−１を周知のように、綴込み体４に綴じ込んでファイリングするファイルＢ本来のファイリングが、押え板４−２にクリップ本体Ａを装着保持させた状態で行なうことができる。
【００２５】
そして、会議等で配布される綴じ孔が明けられていない書類Ｃは、押え板４−２に装着されているクリップ本体Ａの差込口８から上下挟持板２，３間に差し込み挿入させることにより、下部挟持板３側の挟持部７と上部挟持板２との間に押圧挟持させてファイリングすることができる（図３の状態）。
【００２６】
図６及び図７は、本発明ファイル用クリップの第２実施例を示す。
斯かるクリップ本体Ａ−１は、第１実施例詳述のクリップ本体Ａの折曲背部１に書類縁挿入部９を設けることで、綴込み体４に綴じ込まれてファイリングされる書類Ｃ−１の一辺縁に対して、クリップ本体Ａ−１に差し込み挟持されてファイリングされる書類Ｃの一辺縁が上下略面一に合うように形成されてなる。
尚、斯かる実施例のクリップ本体Ａ−１は、書類縁挿入部９を設け、更に図６に示すように、挟持部７から斜め下方に向けた下部挟持板３の開放前端側を平面視略台形状（略舌状）に形成した以外の構成部分においては第１実施例詳述のクリップ本体Ａと基本的に同じことから、同じ構成部分に同じ符号を付することで重複説明は省略する。
【００２７】
書類縁挿入部９は、折曲背部１の幅方向上半部側を、上部挟持板２を延長させるように後方に向けて側面視略コの字形の溝状に折り曲げ膨出させることにより形成されるもので、その溝深さＬ４は書類Ｃ−１の一辺縁に書類Ｃの一辺縁が上下略面一に合うように、該書類Ｃの一辺縁を挿入し得るように設定されるものである。
【００２８】
而して、第２実施例詳述のクリップによれば、綴込み体４により綴じ込みファイリングされる書類Ｃ−１の一辺縁と上下略面一に合わせた状態で、クリップ本体Ａ−１に書類Ｃを挟み込み挟持させてファイリングすることができることで、例えば図３に示すように、書類Ｃ−１の縁から飛び出した状態でファイリングされる書類Ｃの縁部が、会議中やファイリング保管時等に書類Ｃ−１の縁から折れ曲がって損傷する等の心配が解消され、大事な書類の破損防止効果が得られる。
【００２９】
図８及び図９、図１０及び１１は、本発明ファイル用クリップの第３，第４実施例に示す。
斯かるクリップ本体Ａ−２，Ａ−３は、折曲背部１側に、上部挟持板２とにより書類Ｃを押圧挟持する第２の挟持部１０，１１を設けることで、書類Ｃを前述した挟持部７とによる前後２ヵ所にて押圧挟持し得るように形成されてなる。
【００３０】
図８及び図９に示す第３実施例のクリップ本体Ａ−２は、前述第２実施例詳述のクリップ本体Ａ−１の書類縁挿入部９内に図示のように、上部挟持部２に向けて第２の挟持部１０を切起こし備えることで、前側の挟持部７とによる前後２ヶ所で書類Ｃを押圧挟持し得るようにしてある。
【００３１】
第２の挟持部１０は、図示のように、書類縁挿入部９の溝方向左右２ヶ所に所望な切起こし幅ｔにて一体に切り起こし備えられて、書類縁挿入部９に挿入される書類Ｃの一辺縁を上部挟持板２とにより押圧挟持する。
【００３２】
この第２の挟持部１０は、その切起こし基部から頂部（上部挟持板２との接触曲げ部）に至る切起こし長さ寸法Ｌ５の大小によって弾性力（バネ力）の強弱が大きく変化するものであることから、書類縁挿入部９に挿入されてくる書類Ｃにキズ等の損傷を与えないように切起こし幅ｔを設定することが重要である。
例えば、クリップ本体Ａ−２を形成するステンレス鋼等からなる金属製板状部材の板厚が０．２ｍｍで、切り起こし長さ寸法Ｌ５が５〜６ｍｍである場合には切起こし幅ｔを１〜１．５ｍｍに設定することが好適なものとなる。
【００３３】
図１０及び図１１に示す第４実施例のクリップ本体Ａ−３は、挟持部７から折曲背部１に至る寸法Ｌ６を、前述第２実施例のクリップ本体Ａ−１の挟持部７から折曲背部１に至る寸法Ｌ２と折曲背部１から書類縁挿入部９の溝底に至るＬ４との総寸法と略同寸にすることで、綴込み体４に綴じ込まれてファイリングされる書類Ｃ−１の一辺縁に、クリップ本体Ａ−３に差し込み挟持されてファイリングされる書類Ｃの一辺縁が上下略面一に合うように形成されてなる。
また、下部挟持板３に保持片１２を設けることで、この保持片１２と挟持部７とによりクリップ本体Ａ−３が押え板４−２に前後不動に装着されるように形成されてなる。
【００３４】
保持片１２は、図１１に示すように、下部挟持板３から押え板４−２の厚さに相当する高さにて切起こし備えるられるものであるが、挟持部７の折り曲げ立上げ基部からその切起こし基部までの寸法Ｌ７を、押え板４−２の前述幅寸法Ｌ３と略同寸とすることで、クリップ本体Ａを押え板４−２に前後不動（換言すれば、押え板４−２の幅方向に不動）に保持するようにしてある。
【００３５】
そして、この保持片１２の両側に前述の構成からなる第２の挟持部１１を設けることで、上下挟持板２，３間に差し込まれて書類Ｃを差込み口８側の挟持部７とによる前後２ヵ所にて押圧挟持し得るように形成してなる。
【００３６】
而して、斯かる第３実施例詳述と第４実施例詳述のクリップによれば、クリップ本体Ａ−２，Ａ−３の上下挟持板２，３間に差し込まれる書類Ｃの一辺縁は差込口８側の挟持部７と第２の挟持部１０との前後２ヶ所で押圧挟持されることで、書類Ｃは上下挟持板２，３間から不用意に抜け外れることがない前後２点支持構造で確実に挟持される。
これにより、クリップ本体Ａ−２に挟持されてファイリングされていた書類ＣがファイルＢの持ち運び中や保管中等にファイルＢから飛び出してしまったり、紛失する等の心配が解消される。
【００３７】
尚、前述の各実施例におけるクリップ本体Ａ，Ａ−１，Ａ−２，Ａ−３においては金属材料や合成樹脂材料等の所望な板厚を有する平板部材から一体に形成された構造形態として詳述したが、斯かる構造形態に限定されるものではない。
例えば、折曲背部１と上部挟持板２とを合成樹脂材料から一体に形成し、挟持部７や第２の挟持部１０を備える下部挟持板３のみを金属材料から形成して、この下部挟持板３の後端縁を折曲背部１の下端縁に結合せしめることで構成することが可能である。
また、クリップ本体Ａ−２，Ａ−３の場合においては折曲背部１と上下挟持板２，３を前述実施例のように、金属材料や合成樹脂材料から一体に形成し、下部挟持板３側に備える前側の挟持部７と後側の第２の挟持部１０とを、下部挟持板３の内側に収まる大ききの金属材料に形成して、該金属材料を下部挟持板３の内側に貼り付ける等の固着手段により取り付けることで、両挟持部７，１０を下部挟持板３に備える構成とすることも可能である。
更に、金属材料から一体に形成されたクリップ本体Ａ，Ａ−１，Ａ−２，Ａ−３の外側（表面）に、側面視略コの字形に形成された樹脂カバーを備える等の構成とすることも可能である。
【００３８】
【発明の効果】
本発明のファイル用クリップは叙上の如く構成してなることから下記の作用効果を奏する。
本発明によれば、書類に明けらている綴じ孔に綴じバンドを挿通させた後に、該綴じバンドを書類の上に載置される押え板の通孔に挿通させると共に綴じ具により抜止不能に折り曲げ係止することで、孔明き書類を綴じ込むファイル本来（周知）のファイリングが可能でありながら、該綴じ込み操作性に何ら不具合を与えることなく、前記押え板にファイル本体を常時装着保持させた状態で、該クリップ本体に綴じ孔が明けられていない書類を差し込み挟持させることができる。
つまり、従来のファイル用クリップのように、書類を追加挟み込む度に、押え板を綴じピンから取り外した後に、該綴じピンからクリップを取り外さなければならないと言った面倒で手間の掛かる煩わしいことを一切せずに、クリップ本体を押え板に常時装着保持させた状態で、追加書類を上下挟持板間に差し込むと言った簡単な操作で差し込み挟持させることができる。
【００３９】
また、本発明によれば、使用中のファイルにおいてクリップ本体が不使用になった場合等には、該ファイルの押え板からクリップ本体を取り外して別のファイルの押え板に差し込み付け替えることで、繰り返し使用することができる。
【００４０】
また、本発明によれば、綴じ孔を明けて綴込み体に綴じ込む周知のファイリングと、必要な時に簡単に取り出せるようにクリップ本体に差し込み挟持させるファイリングとの併用が可能になることで、ファイルの実用性を一層向上させることができる。
【００４１】
また、本発明によれば、押え板にクリップ本体が差し込み装着されると、クリップ本体は挟持部と折曲背部とによって押え板に前後不動（換言すれば、押え板の幅方向に不動）に保持させたり、或いは挟持部と保持片とによって押え板に前後不動に保持されることができる。
これにより、会議等において配布される書類を上下挟持板間に差し込む際に、クリップ本体が押え板の幅方向に移動することがないことで、綴じ孔が明けられていない書類をスムーズに上下挟持板間に差し込むことが可能になる。
【００４２】
また、本発明によれば、クリップ本体の上下挟持板間に差し込まれる書類の一辺縁は前側の挟持部と後側の第２の挟持部との前後２ヶ所で押圧挟持されるように構成されていることで、上下挟持板間から不用意に抜け外れることがない前後２点支持構造で確実に書類を挟み込み挟持させることができる。
これにより、クリップ本体に挟持されてファイリングされていた書類がファイルの持ち運び中や保管中等にファイルから飛び出してしまったり、紛失する等の心配が解消される。
【図面の簡単な説明】
【図１】本発明ファイル用クリップの第１実施例を示す斜視図
【図２】同クリップの縦断拡大側面図
【図３】同クリップを、綴込み体により綴じ込みファイリングされた書類の上の押え板に装着せしめた使用例を示す横断側面図で、書類を挟み込み挟持させてファイリングせしめた状態を示す
【図４】押え板の装着せしめた使用例を示す斜視図
【図５】綴じバンドから取り外された押え板に装着されている状態を示す斜視図
【図６】本発明ファイル用クリップの第２実施例を示す斜視図
【図７】同クリップを、綴込み体により綴じ込みファイリングされた書類の上の押え板に装着せしめた使用例を示す横断側面図で、書類を挟み込み挟持させてファイリングせしめた状態を示す
【図８】本発明ファイル用クリップの第３実施例を示す斜視図
【図９】同クリップを、綴込み体により綴じ込みファイリングされた書類の上の押え板に装着せしめた使用例を示す横断側面図で、書類を挟み込み挟持させてファイリングせしめた状態を示す
【図１０】本発明ファイル用クリップの第４実施例を示す斜視図
【図１１】同クリップを、綴込み体により綴じ込みファイリングされた書類の上の押え板に装着せしめた使用例を示す横断側面図で、書類を挟み込み挟持させてファイリングせしめた状態を示す
【符号の説明】
Ａ，Ａ−１，
Ａ−２，Ａ−３：クリップ本体      １：折曲背部
２：上部挟持板                ３：下部挟持板
４：綴込み体                  ４−１：綴じバンド
４−２：押え板                    ５：綴じ具
６：通孔                      ７：挟持部
８：差込口                    ９：書類縁挿入部
１０，１１：第２の挟持部          １２：保持片
Ｂ：ファイル                  ｂ：綴込み表紙
ｂ−１，ｂ−２：表紙部              ｂ−３：背部
【図１】
2004291249.tif 000003
【図２】
2004291249.tif 000004
【図３】
2004291249.tif 000005
【図４】
2004291249.tif 000006
【図５】
2004291249.tif 000007
【図６】
2004291249.tif 000008
【図７】
2004291249.tif 000009
【図８】
2004291249.tif 000010
【図９】
2004291249.tif 000011
【図１０】
2004291249.tif 000012
【図１１】
2004291249.tif 000013